(57)【特許請求の範囲】
【請求項１】
振動体（２１）を有する慣性力検出素子（２０）を含む構造体（６０）と、前記構造体（６０）を支持する支持部材（１０）とが熱硬化性の接着剤（４０）によって接合され、
前記構造体（６０）は半導体チップ（３０）を有し、前記半導体チップ（３０）と前記支持部材（１０）とが前記接着剤（４０）で接着された慣性力センサの製造方法において、
前記構造体（６０）に、前記接着剤（４０）の外形を所望形状とするための型（７０）を形成する工程と、
前記型（７０）の内部に液状の前記接着剤（４０）を流入させ、前記接着剤（４０）を挟んで前記構造体（６０）と前記支持部材（１０）とを重ね合わせた状態で前記接着剤（４０）を硬化させて、前記接着剤（４０）の外形を所望形状とする工程と、
ウェットエッチングまたはドライエッチングにより、前記接着剤（４０）を残して前記型（７０）を除去する工程とを備え、
前記型（７０）を形成する工程では、前記半導体チップ形成用の半導体ウエハ（８０）に対して、前記型を形成するための型形成用の膜（７１）を成膜した後、前記型形成用の膜（７１）に対してフォトリソグラフィおよびエッチングを実施することにより、複数の前記半導体チップ（３０）に対して型を同時に形成し、
前記型形成用の膜（７１）の成膜では、前記半導体ウエハとしてＳｉで構成されたものを用いるとともに、前記半導体ウエハの裏面を熱酸化することにより、前記型形成用の膜（７１）としてのＳｉＯ２膜を形成することを特徴とする慣性力センサの製造方法。
【請求項２】
前記接着剤（４０）としてシリコーン系接着剤を用いることを特徴とする請求項１に記載の慣性力センサの製造方法。
【請求項３】
前記型（７０）を除去する工程では、前記接着剤（４０）によって接着された前記構造体（６０）と前記支持部材（１０）とを一組として、複数組の前記構造体（６０）および前記支持部材（１０）に対して、ウェットエッチングまたはドライエッチングを同時に実施することを特徴とする請求項１または２に記載の慣性力センサの製造方法。
【請求項４】
前記振動体（２１）は常に所定の駆動周波数にて振動する構成であって、前記慣性力検出素子は角速度検出素子（２０）であることを特徴とする請求項１ないし３のいずれか１つに記載の慣性力センサの製造方法。
【発明の詳細な説明】
【技術分野】
【０００１】
本発明は、角速度センサに代表される慣性力を検出する慣性力センサの製造方法に関するものである。
【背景技術】
【０００２】
従来、振動体を有する角速度検出素子を備え、振動体を駆動振動させ、角速度印加時のコリオリ力による振動体の変位を検出することで角速度検出を行う振動型の角速度センサがある（例えば、特許文献１、２参照）。
【０００３】
このような角速度センサの具体的な構成としては、振動体を有する角速度検出素子を含む構造体が、パッケージ上に接着剤を介して支持された構成のものがある（例えば、特許文献２参照）。
【先行技術文献】
【特許文献】
【０００４】
【特許文献１】特許第４２５４０１６号公報
【特許文献２】特開２００７−３３３９３号公報
【発明の概要】
【発明が解決しようとする課題】
【０００５】
角速度センサは、構造体の共振周波数が、センシング用周波数、例えば駆動周波数の奇数高調波（駆動周波数を含む）や、ワイヤ等の構造体以外の他の構成部品の共振周波数と一致すると、特性変動することが知られている。なお、駆動周波数の偶数高調波は、通常、回路処理によって低減可能であるため、除外視できる。また、角速度センサの製造において、ワイヤボンディング時の印加超音波の周波数と、構造体の共振周波数が一致すると、構造体の振動によって接続不良が生じてしまう。
【０００６】
このため、角速度センサにおいては、駆動周波数の奇数高調波、構造体以外の構成部品の共振周波数およびワイヤボンディング時の印加超音波の周波数等を避けて、構造体の共振周波数を設定しなければならない。
【０００７】
ここで、上記のように、接着剤を介してパッケージ上に構造体を支持した構成の角速度センサでは、接着剤を含む構造体の１次共振周波数ｆ０は、接着剤をバネとし、構造体を質量体として、次式より表される。
【０００８】
ｆ０＝（１／（２π））・（ｋ／ｍ）１／２
式中のｋはバネ定数であり、ｍは質量である。バネ定数はヤング率と接着剤の形状（外形）、すなわち、面積と高さによって決まり、ヤング率は接着剤の材質によって決まる。
【０００９】
したがって、構造体の共振周波数が所望範囲となるように、接着剤の材質や形状、構造体の質量を設定する必要がある。
【００１０】
しかし、構造体を接着剤でパッケージに接着する際では、接着剤として熱硬化性樹脂を用いると、接着剤の量や構造体に印加する荷重等を制御しても、硬化前の接着剤の流動によって、硬化後の接着剤形状にバラツキが生じてしまう。接着剤形状にバラツキが生じると、上記式中のバネ定数ｋにバラツキが生じ、構造体の共振周波数ｆ０にバラツキが生じる。すなわち、接着剤の形状が変動すると、バネ定数ｋが変動し、構造体の共振周波数ｆ０が変動してしまう。
【００１１】
このため、駆動周波数の奇数高調波、構造体以外の構成部品の共振周波数等を避けて、構造体の共振周波数を設定しても、共振周波数のバラツキ範囲が大きいと、製品によっては、駆動周波数の奇数高調波、構造体以外の構成部品の共振周波数と一致してしまう恐れが生じる。
【００１２】
ここで、図５は、駆動周波数の奇数高調波、構造体以外の構成部品であるワイヤ、パッケージの蓋の共振周波数およびワイヤボンディング時の印加超音波の周波数を示す周波数マップである。なお、図５中の駆動周波数の１次、３次、５次・・・の記載が奇数高調波を示しており、１次が駆動周波数に相当する。また、ワイヤ、パッケージの蓋の１次、２次は、１次振動、２次振動を意味する。
【００１３】
例えば、駆動周波数の奇数高調波、ワイヤボンディング時の印加超音波の周波数、ワイヤ、パッケージの蓋の共振周波数が図５に示す範囲のとき、接着剤形状にバラツキが生じる場合では、図５に示すように、構造体の共振周波数のバラツキ範囲が広く、駆動周波数の７次、９次の奇数高調波と一致してしまう。
【００１４】
なお、このような問題は、角速度センサに限らず、加速度センサ等の振動体を有する慣性力検出素子を含む構造体が、構造体の支持部材上に接着剤を介して支持される構成の他の慣性力センサにおいても生じることである。
【００１５】
本発明は上記点に鑑みて、接着剤の形状バラツキを低減して、構造体の共振周波数のバラツキ範囲を小さくできる慣性力センサの製造方法を提供することを目的とする。
【課題を解決するための手段】
【００１６】
上記目的を達成するため、請求項１に記載の発明では、振動体（２１）を有する慣性力検出素子（２０）を含む構造体（６０）と、構造体（６０）を支持する支持部材（１０）とが熱硬化性の接着剤（４０）によって接合され、
構造体（６０）は半導体チップ（３０）を有し、半導体チップ（３０）と支持部材（１０）とが接着剤（４０）で接着された慣性力センサの製造方法において、
構造体（６０）に、接着剤（４０）の外形を所望形状とするための型（７０）を形成する工程と、
型（７０）の内部に液状の接着剤（４０）を流入させ、接着剤（４０）を挟んで構造体（６０）と支持部材（１０）とを重ね合わせた状態で接着剤（４０）を硬化させて、接着剤（４０）の外形を所望形状とする工程と、
ウェットエッチングまたはドライエッチングにより、接着剤を残して型（７０）を除去する工程とを備え、
型（７０）を形成する工程では、半導体チップ形成用の半導体ウエハ（８０）に対して、型を形成するための型形成用の膜（７１）を成膜した後、型形成用の膜（７１）に対してフォトリソグラフィおよびエッチングを実施することにより、複数の半導体チップ（３０）に対して型を同時に形成し、
型形成用の膜（７１）の成膜では、半導体ウエハとしてＳｉで構成されたものを用いるとともに、半導体ウエハの裏面を熱酸化することにより、型形成用の膜（７１）としてのＳｉＯ２膜を形成することを特徴としている。
【００１７】
これによると、硬化後の接着剤の面積および高さを型によって規定できるので、型を用いない場合と比較して、接着剤の形状バラツキを低減でき、構造体の共振周波数のバラツキ範囲を小さくすることができる。
【００２１】
また、これによると、ウエハ状態で複数の型を同時に形成するので、生産効率を高めることができる。
【００２３】
請求項３に記載の発明では、請求項１、２に記載の発明において、型（７０）を除去する工程では、接着剤（４０）によって接着された構造体（６０）と支持部材（１０）とを一組として、複数組の構造体（６０）および支持部材（１０）に対して、ウェットエッチングまたはドライエッチングを同時に実施することを特徴としている。
【００２４】
これによると、１回の除去工程で複数の型を除去できるので、生産効率を高めることができる。
【００２５】
請求項４に記載の発明では、振動体（２１）は常に所定の駆動周波数にて振動する構成であって、慣性力検出素子は角速度検出素子（２０）であることを特徴としている。
【００２６】
このように、慣性力センサが角速度を検出するものである場合では、構造体の共振周波数のバラツキ範囲をより小さくすることが要求されるので、この場合に請求項１〜３に記載の発明を適用することが特に有効である。
【００２７】
なお、この欄および特許請求の範囲で記載した各手段の括弧内の符号は、後述する実施形態に記載の具体的手段との対応関係を示すものである。
【図面の簡単な説明】
【００２８】
【図１】本発明の第１実施形態における角速度センサ１の概略断面構成を示す図である。
【図２】第１実施形態における角速度センサ１の製造工程を示す断面図である。
【図３】図２に続く角速度センサ１の製造工程を示す断面図である。
【図４】図３に続く角速度センサ１の製造工程を示す断面図である。
【図５】駆動周波数の奇数高調波、ワイヤ、パッケージの蓋の共振周波数およびワイヤボンディング時の印加超音波の周波数を示す周波数マップである。
【発明を実施するための形態】
【００２９】
以下、本発明の実施形態について図に基づいて説明する。なお、以下の各実施形態相互において、互いに同一もしくは均等である部分には、説明の簡略化を図るべく、図中、同一符号を付してある。
【００３０】
（第１実施形態）
図１に、本実施形態における振動型の角速度センサ１の概略断面構成を示す。この角速度センサ１は、例えば、自動車に搭載されて自動車に印加される角速度を検出するものとして用いられる。
【００３１】
図１に示すように、この角速度センサ１は、大きくは、パッケージ１０上に、接着剤４０を介して、回路基板３０、角速度検出素子２０が積層されるとともに、各部の電気的な接続がボンディングワイヤ５０にて行われているものである。
【００３２】
パッケージ１０は、角速度検出素子２０および回路基板３０を収納するものであって、角速度センサ１の本体を区画形成する基部となる。
【００３３】
図１に示す例では、パッケージ１０は、例えば、例えばアルミナなどのセラミック層１１が複数積層された積層基板として構成されており、図示しないが各層１１の表面や各層に形成されたスルーホールの内部に配線が形成されたものである。そして、この配線を介して角速度センサ１と外部とが電気的に接続可能となっている。
【００３４】
このパッケージ１０の開口部には、金属や樹脂あるいはセラミックなどからなる蓋（リッド）１２が溶接やロウ付けなどにより取り付けられ、この蓋１２によってパッケージ１０の内部が封止されている。
【００３５】
また、パッケージ１０は、底部に凹部１３を有し、この凹部１３に角速度検出素子２０および回路基板３０が収納されている。
【００３６】
パッケージ１０の底部上に、回路基板用接着剤４０を介して、回路基板３０が接着されており、回路基板３０上に、素子用接着剤４１を介して、角速度検出素子２０が接着されている。
【００３７】
回路基板用接着剤４０は、液状から硬化（固化）させることができる材料で構成されており、そのような材料としては熱硬化性樹脂が挙げられる。本実施形態では、回路基板用接着剤４０としてシリコーン系樹脂を用いている。
【００３８】
素子用接着剤４１は、回路基板用接着剤４０よりも硬い材料で構成されている。本実施形態では、ポリイミド系樹脂を用いている。なお、シリコーン系樹脂よりも硬いエポキシ系樹脂、回路基板用接着剤４０として用いられているシリコーン系樹脂よりも硬いシリコーン系樹脂を採用することもできる。
【００３９】
角速度検出素子２０は角速度検出の用途をなすものであり、上記特許文献２に記載のものと同様に、振動体２１を備えた半導体チップとして構成されたものである。このような角速度検出素子２０は、例えばＳＯＩ（シリコン−オン−インシュレータ）基板などの半導体基板に対して周知のマイクロマシン加工を施すことにより形成され、例えば矩形板状のものである。
【００４０】
具体的に、角速度検出素子２０における振動体２１は、一般に知られている櫛歯構造を有する梁構造体とすることができ、弾性を有する梁により支持されて角速度の印加により可動となっている。図１において、振動体２１がｘ軸方向に駆動振動しているときにｚ軸回りの角速度Ωが印加されると、ｘ軸と直交するｙ軸の方向へコリオリ力により振動体２１が検出振動するようになっている。そして、角速度検出素子２０には、図示しない検出用電極が設けられており、振動体２１の検出振動による振動体２１と当該検出用電極との間の静電容量変化を検出することにより、角速度Ωの検出が可能となっている。このように、角速度検出素子２０は振動体２１の駆動振動に基づいて、角速度Ωを検出するものである。
【００４１】
回路基板３０は、角速度検出素子２０へ駆動や検出用の信号を送ったり、角速度検出素子２０からの電気信号を処理して外部へ出力する等の機能を有する信号処理チップとして構成されたものである。
【００４２】
このような回路基板３０は、Ｓｉ基板に対してＭＯＳトランジスタやバイポーラトランジスタ等が、周知の半導体プロセスを用いて形成されているＩＣチップなどにより構成され、例えば、矩形板状のものである。
【００４３】
そして、図１に示されるように、角速度検出素子２０と回路基板３０、および、回路基板３０とパッケージ１０の上記配線とは、それぞれ金やアルミニウムなどからなるボンディングワイヤ５０を介して電気的に接続されている。こうして角速度検出素子２０、回路基板３０、およびパッケージ１０の各部間はボンディングワイヤ５０を介して電気的に接続されている。角速度検出素子２０からの電気信号は回路基板３０へ送られて、例えば、回路基板３０に備えられたＣ／Ｖ変換回路などにより電圧信号に変換されて、角速度信号として出力されるようになっている。
【００４４】
次に、本実施形態における角速度センサ１の製造方法について説明する。
【００４５】
まず、図１を参照しながら角速度センサ１の製造工程の概略を説明する。チップ状の角速度検出素子２０とチップ状の回路基板３０とをそれぞれ用意し、角速度検出素子２０と回路基板３０とを素子用接着剤４１で接着して構造体６０を形成する。続いて、パッケージ１０を用意し、回路基板用接着剤４０を介して、パッケージ１０の底部上に構造体６０を搭載して、構造体６０とパッケージ１０とを接着する。続いて、角速度検出素子２０と回路基板３０とパッケージ１０との間でワイヤボンディングを行い、その後、蓋１２をパッケージ１０に取り付ける。このようにして、角速度センサ１が製造される。
【００４６】
図２〜４に、本実施形態における角速度センサ１の製造工程の一部を示す。本実施形態では、構造体６０とパッケージ１０とを回路基板用接着剤４０で接着する工程において、以下の説明の通り、回路基板３０の底面に設けた型７０の内部に接着剤４０を流入し、型７０に入れた状態で接着剤４０を硬化させる工程（図４（ａ）参照）と、接着剤４０の硬化後に型７０を除去する工程（図４（ｂ）参照）とを実施する。
【００４７】
まず、図２（ａ）〜（ｃ）、図３（ａ）〜（ｃ）に示すように、チップ状の回路基板３０の製造段階で、回路基板３０の底面３０ａに型７０を形成する工程を実施する。
【００４８】
ここで、型７０は、接着剤４０の外形を所望形状とするためのものであり、型７０と接着剤４０とのうち型７０を選択して除去可能な材料からなるものである。接着剤４０がシリコーン系樹脂である場合、型７０の材質をＳｉＯ２とすることができる。また、回路基板３０の底面３０ａとはパッケージ１０に接着される側の面である。
【００４９】
具体的には、図２（ａ）に示すように、複数の回路基板３０が形成されたダイシング前の半導体ウエハ、例えば、シリコン（Ｓｉ）ウエハであって、裏面に型形成用の膜７１が成膜されたシリコンウエハを用意する。この型形成用の膜７１は、酸化膜（ＳｉＯ２膜）であり、回路基板形成前のシリコンウエハに対して熱酸化法によって形成されたものである。なお、型形成用の膜７１の成膜については、回路基板形成後のシリコンウエハに対する熱酸化法によって形成しても良く、半導体プロセスにおけるＣＶＤ法、ＰＶＤ法等の他の成膜法によって成膜しても良い。
【００５０】
そして、型７０の内部形状を形成するために、型形成用の膜７１に対して、半導体プロセスにおけるフォトリソグラフィおよびエッチングを実施する。具体的には、図２（ｂ）に示すように、フォトリソグラフィ工程で、複数の回路基板３０の裏面にパターニングされたレジスト７２を形成し、図２（ｃ）に示すように、エッチング工程で、このレジスト７２をマスクとして、型形成用の膜７１をエッチングすることで、型７０を形成する。
【００５１】
このようにして、図３（ａ）〜（ｃ）に示すように、ウエハ状態で、複数の回路基板３０のそれぞれに型７０を形成する。図３（ａ）は半導体ウエハ８０の裏面側を示す正面図であり、図３（ｂ）は（ａ）中の１つの回路基板３０の拡大図であり、図３（ｃ）は型７０が形成された回路基板３０の断面図である。図３（ｂ）に示されるように、型７０の内部の平面形状７０ａは円形状であり、この平面形状７０ａによって硬化後の接着剤４０の面積を規定する。また、図３（ｃ）に示すように、型７０の高さ７０ｂによって硬化後の接着剤４０の高さ寸法を規定する。
【００５２】
その後、図３（ａ）に示されるウエハ８０に対してダイシングを実施して、チップ状の回路基板３０を形成する。このようにして、チップ（ダイ）３０の裏面にチップ３０を支持できる強度を持った接着剤成型用の型７０を設けることができる。
【００５３】
続いて、型７０が形成されたチップ状の回路基板３０と、チップ状の角速度検出素子２０とを、素子用接着剤４１によって接着することで、構造体６０を製造する。なお、本実施形態では、この接着においては型を用いていない。
【００５４】
次に、図４（ａ）に示すように、型７０の内部に接着剤４０を入れた状態で、接着剤４０を硬化させる工程を実施して、構造体６０とパッケージ１０とを接着剤４０で接着する。
【００５５】
具体的には、構造体６０に形成された型７０の内部に液状の接着剤４０を流入させ、接着剤４０を挟んで構造体６０とパッケージ１０とを重ね合わせた状態とする。なお、ここでいう液状とは流動性を有していることを意味する。
【００５６】
そして、型７０に入れた状態で接着剤４０を硬化させて、接着剤４０の外形を所望形状とする。型７０の内部形状は円柱形状であるので、硬化後の接着剤４０は円柱形状となる。このように型７０の平面形状７０ａと高さ７０ｂによって、硬化後の接着剤４０の面積と高さが規定される。このように、型７０は、接着剤４０の硬化時において、接着剤４０を所望形状に保持する接着剤保持部として機能する。
【００５７】
次に、図４（ｂ）に示すように、半導体プロセスにおけるウェットエッチングまたはドライエッチングにより、型７０を選択して除去する工程を実施する。例えば、接着剤４０がシリコーン系樹脂であり、型７０の材質がＳｉＯ２である場合、ドライエッチングでは、エッチング用ガスとしてＣＦ４等を採用し、ウェットエッチングでは、薬液としてＨＦ等を採用する。これにより、接着剤４０を残しつつ、型７０を除去することができる。
【００５８】
このとき、接着したものを複数並べてバッチ処理する。すなわち、接着剤４０によって接着された構造体６０とパッケージ１０とを一組として、複数組の構造体６０およびパッケージ１０に対して、ウェットエッチングまたはドライエッチングを同時に実施する。これにより、一回の型７０の除去工程を実施することで、複数の型７０を同時に除去することができる。
【００５９】
このようにして、構造体６０とパッケージ１０との接着が完了する。
【００６０】
本実施形態では、素子用接着剤４１が回路基板用接着剤４０よりも硬いことから、素子用接着剤４１を介して接着された回路基板３０と角速度検出素子２０とが一体の構造体６０とみなすことができる。そして、この構造体６０が回路基板用接着剤４０を介してパッケージ１０の底部に接着されている。
【００６１】
このため、本実施形態の角速度センサ１では、回路基板用接着剤４０をバネとし、構造体６０を質量体として、次式によって構造体６０の１次共振周波数ｆ０が決定される。
【００６２】
ｆ０＝（１／（２π））・（ｋ／ｍ）１／２
このとき、回路基板用接着剤４０のバネ定数ｋは、回路基板用接着剤４０の材質から定まるヤング率と、硬化後における回路基板用接着剤４０の外形（面積および高さ）とに基づいて定まる。
【００６３】
そして、本実施形態では、構造体６０とパッケージ１０との接着の際に、型７０を用いて回路基板用接着剤４０を硬化させている。
【００６４】
これにより、硬化前の回路基板用接着剤４０の流動を規制でき、硬化後の回路基板用接着剤４０の面積および高さを型７０によって規定できるので、型７０を用いない場合と比較して、回路基板用接着剤４０の形状バラツキを低減でき、構造体６０の共振周波数のバラツキ範囲を小さくすることができる。すなわち、本実施形態によると、型７０を用いない場合と比較して、硬化後の回路基板用接着剤４０の面積および高さの設定値（目標値）からのズレを低減でき、構造体６０の共振周波数を所望値もしくは所望範囲内とすることができる。
【００６５】
この結果、構造体６０の共振周波数と、駆動周波数、駆動周波数の奇数高調波、構造体以外の構成部品の共振周波数等との一致を防止することができる。
【００６６】
なお、本実施形態では、平面形状が円形状である型７０を用いて、回路基板用接着剤４０を平面円形状として硬化させたが、他の平面形状となるように回路基板用接着剤４０を硬化させても良い。
【００６７】
このように、本実施形態では、型を用いて回路基板用接着剤４０を硬化させるので、硬化後の回路基板用接着剤４０の形状を、任意に変更でき、十字形状等の応力緩和に効果的な形状に変更することもできる。
【００６８】
（他の実施形態）
（１）上述の実施形態では、ウエハ状態で、複数の回路基板３０に型を形成した後であって、型の内部に接着剤を流入する前に、回路基板３０をチップ状にするためのダイシングを実施したが、回路基板３０とパッケージ１０とを接着できれば、型の内部に接着剤を流入した後に、ダイシングを実施しても良い。
【００６９】
ただし、型の内部に接着剤を流入する前に、ダイシングすることが好ましい。ダイシングによって発生する切り屑の接着剤への流入を防ぐことができるからである。
【００７０】
（２）上述の実施形態では、ウエハ状態で、複数の回路基板３０に型を形成したが、チップ状態の回路基板３０に型を形成しても良い。
【００７１】
（３）上述の実施形態では、型７０を除去する工程において、複数組の構造体６０とパッケージ１０に対してバッチ処理を施したが、一組ずつ型７０を除去しても良い。
【００７２】
（４）上述の実施形態では、回路基板３０の底面に型を形成したが、パッケージ１０の上面に型を形成しても良い。
【００７３】
（５）上述の実施形態では、角速度検出素子２０と回路基板３０とを素子用接着剤４１で接着したが、角速度検出素子２０に設けられたバンプ電極（例えば、金等の金属で構成されたもの）を介して、角速度検出素子２０と回路基板３０とを接合しても良い。この場合においても、バンプ電極が回路基板用接着剤４０よりも硬いことから、角速度検出素子２０と回路基板３０とを一体の構造体とみなすことができる。
【００７４】
（６）上述の実施形態では、回路基板３０とパッケージ１０との間の回路基板用接着剤４０の硬化時に型を用いていたが、角速度検出素子２０と回路基板３０との間の素子用接着剤４１が回路基板用接着剤４０と同等もしくはそれ以上の柔らかさを有する場合、素子用接着剤４１の硬化時においても、上述の実施形態と同様に、型を用いることが好ましい。この場合、角速度検出素子２０、素子用接着剤４１、回路基板３０の間の関係では、角速度検出素子２０が本発明の構造体に相当し、回路基板３０が本発明の支持部材に相当し、素子用接着剤４１が本発明の接着剤に相当する。
【００７５】
（７）上述の実施形態では、角速度検出素子２０、素子用接着剤４１、回路基板３０によって構造体６０が構成されていたが、回路基板３０がパッケージ１０のうち角速度検出素子２０とは別の位置に支持される等の理由により、構造体６０が角速度検出素子２０のみによって構成されていても良い。
【００７６】
（８）上述の実施形態では、本発明の慣性力センサを角速度センサに適用したが、加速度センサ等のように、振動体を有する慣性力検出素子を含む構造体が、構造体の支持部材上に接着剤を介して支持される構成であれば、他の慣性力センサに本発明を適用することもできる。
【符号の説明】
【００７７】
１      角速度センサ（慣性力センサ）
１０    パッケージ（支持部材）
２０    角速度検出素子（慣性力検出素子）
２１    振動体
３０    回路基板
４０    回路基板用接着剤（接着剤）
６０    構造体
７０    型
【図１】
0005609368.tif 000002
【図２】
0005609368.tif 000003
【図３】
0005609368.tif 000004
【図４】
0005609368.tif 000005
【図５】
0005609368.tif 000006